(57)【要約】【課題】二つの配電線の電圧が所定の電圧範囲を逸脱することを防ぎつつ、それらの配電線電圧の偏差を低減する。【解決手段】電力融通装置は、第１配電線電圧及び第２配電線電圧に基づいて、電力変換により第１端子及び第２端子の間で融通する電圧である電圧融通量と、融通の方向である電圧融通方向とを決定し、電圧融通量と電圧融通方向と第１配電線電圧とに基づいて、電力変換後に第１配電設備で測定された電圧である第１配電線推定電圧を推定し、電圧融通量と電圧融通方向と第２配電線電圧とに基づいて、電力変換後に第２配電設備で測定された電圧である第２配電線推定電圧を推定し、第１配電線推定電圧及び第２配電線推定電圧が電圧条件を満たす場合、電力変換部に電力変換を実行させる。【選択図】図１
2014212611.tif 000002
【特許請求の範囲】
【請求項１】
第１配電線に接続された第１端子と、第２配電線に接続された第２端子とに接続されている電力融通装置と、
前記第１配電線上で前記第１端子の下流側に設けられている第１配電設備で測定される電圧である第１配電線電圧を前記電力融通装置へ送信する第１通信装置と、
前記第２配電線上で前記第２端子の下流側に設けられている第２配電設備で測定される電圧である第２配電線電圧を前記電力融通装置へ送信する第２通信装置と、
を備え、
前記電力融通装置は、
指示に応じて前記第１端子及び前記第２端子の間で電力変換を実行する電力変換部と、
前記第１通信装置から前記第１配電線電圧を受信し、前記第２通信装置から前記第２配電線電圧を受信する受信部と、
前記第１配電線電圧及び前記第２配電線電圧に基づいて、前記電力変換により前記第１端子及び前記第２端子の間で融通する電圧である電圧融通量と、前記融通の方向である電圧融通方向とを決定し、前記電圧融通量と前記電圧融通方向と前記第１配電線電圧とに基づいて、前記電力変換後に前記第１配電設備で測定された電圧である第１配電線推定電圧を推定し、前記電圧融通量と前記電圧融通方向と前記第２配電線電圧とに基づいて、前記電力変換後に前記第２配電設備で測定された電圧である第２配電線推定電圧を推定し、前記第１配電線推定電圧及び前記第２配電線推定電圧が所定の電圧条件を満たすか否かを判定し、前記第１配電線推定電圧及び前記第２配電線推定電圧が前記電圧条件を満たす場合、前記電力変換部に前記電力変換を実行させる制御部と、
を含む、
電力融通システム。
【請求項２】
前記制御部は、前記第１端子の電圧である第１端子電圧と、前記第２端子の電圧である第２端子電圧とを取得し、前記電圧融通量と前記電圧融通方向と前記第１端子電圧とに基づいて、前記電力変換後の前記第１端子の電圧である第１端子推定電圧を推定し、前記電圧融通量と前記電圧融通方向と前記第２端子電圧とに基づいて、前記電力変換後の前記第２端子の電圧である第２端子推定電圧を推定し、前記第１端子推定電圧と前記第２端子推定電圧と前記第１配電線推定電圧と前記第２配電線推定電圧とが所定の電圧範囲内であるか否かを判定し、前記第１端子推定電圧と前記第２端子推定電圧と前記第１配電線推定電圧と前記第２配電線推定電圧とが前記電圧範囲内である場合、前記電力変換部に前記電力変換を実行させる、
請求項１に記載の電力融通システム。
【請求項３】
前記電力変換は、ＡＣ−ＤＣ−ＡＣ変換である、
請求項２に記載の電力融通システム。
【請求項４】
前記電圧融通方向が前記第１配電線から前記第２配電線へ向かう場合、前記制御部は、前記第１配電線電圧から前記電圧融通量を減じた値を前記第１配電線推定電圧として推定し、前記第２配電線電圧に前記電圧融通量を加えた値を前記第２配電線推定電圧として推定し、
前記電圧融通方向が前記第２配電線から前記第１配電線へ向かう場合、前記制御部は、前記第２配電線電圧から前記電圧融通量を減じた値を前記第２配電線推定電圧として推定し、前記第１配電線電圧に前記電圧融通量を加えた値を前記第１配電線推定電圧として推定する、
請求項３に記載の電力融通システム。
【請求項５】
前記制御部は、前記第１配電線電圧及び前記第２配電線電圧の差に基づいて、前記電圧融通量及び前記電圧融通方向を決定する、
請求項４に記載の電力融通システム。
【請求項６】
前記制御部は、前記第１配電線電圧及び前記第２配電線電圧の差の絶対値の１／２を、前記電圧融通量として算出し、前記第１配電線電圧及び前記第２配電線電圧を比較し、高い電圧に対応する配電線を融通元配電線として選択し、低い配電圧に対応する配電線を融通先配電線として選択し、前記融通元配電線から前記融通先配電線への方向を前記電圧融通方向として決定する、
請求項５に記載の電力融通システム。
【請求項７】
前記第１端子及び前記第２端子の間に連系開閉器が接続されており、
前記電力変換時、前記連系開閉器は開状態である、
請求項６に記載の電力融通システム。
【請求項８】
前記制御部は、前記第１端子及び前記第２端子の間で、予め定められた試験電圧を予め定められた試験方向へ融通する試験電力変換を、前記電力変換部に実行させ、
前記受信部は、前記第１通信装置及び前記第２通信装置の何れか一つの通信装置から、前記試験電力変換の前に前記通信装置に対応する配電設備で測定された試験前電圧と、前記試験電力変換の後に前記配電設備で測定された試験後電圧とを受信し、
前記制御部は、前記試験前電圧及び前記試験後電圧に基づいて、前記第１通信装置及び前記第１配電線の対応付けと、前記第２通信装置及び前記第２配電線の対応付けとを示す対応関係情報を決定し、前記対応関係情報に基づいて、前記第１通信装置から受信された電圧を前記第１配電線電圧として認識すると共に、前記第２通信装置から受信された電圧を前記第２配電線電圧として認識する、
請求項２に記載の電力融通システム。
【請求項９】
前記制御部は、前記試験方向と、前記試験前電圧及び前記試験後電圧の大小関係とに基づいて、前記対応関係情報を決定する、
請求項８に記載の電力融通システム。
【請求項１０】
第１配電線に接続された第１端子と、第２配電線に接続された第２端子とに接続され、指示に応じて前記第１端子及び前記第２端子の間で電力変換を実行する電力変換部と、
前記第１配電線上で前記第１端子の下流側に設けられている第１配電設備で測定される電圧である第１配電線電圧と、前記第２配電線上で前記第２端子の下流側に設けられている第２配電設備で測定される電圧である第２配電線電圧とを受信する受信部と、
前記第１配電線電圧及び前記第２配電線電圧に基づいて、前記電力変換により前記第１端子及び前記第２端子の間で融通する電圧である電圧融通量と、前記融通の方向である電圧融通方向とを決定し、前記電力変換後に前記第１配電設備で測定された電圧である第１配電線推定電圧と、前記電力変換後に前記第２配電設備で測定された電圧である第２配電線推定電圧とを推定し、前記第１配電線推定電圧及び前記第２配電線推定電圧が所定の電圧条件を満たすか否かを判定し、前記第１配電線推定電圧及び前記第２配電線推定電圧が前記電圧条件を満たす場合、前記電力変換部に前記電力変換を実行させる制御部と、
を備える電力融通装置。
【請求項１１】
第１配電線に接続された第１端子と、第２配電線に接続された第２端子とに接続されている電力融通装置が、前記第１配電線上で前記第１端子の下流側に設けられている第１配電設備で測定される電圧である第１配電線電圧と、前記第２配電線上で前記第２端子の下流側に設けられている第２配電設備で測定される電圧である第２配電線電圧とを受信し、
前記電力融通装置が、前記第１端子及び前記第２端子の間の電力変換について、前記第１配電線電圧及び前記第２配電線電圧に基づいて、前記電力変換により前記第１端子及び前記第２端子の間で融通する電圧である電圧融通量と、前記融通の方向である電圧融通方向とを決定し、
前記電力融通装置が、前記電力変換後に前記第１配電設備で測定された電圧である第１配電線推定電圧と、前記電力変換後に前記第２配電設備で測定された電圧である第２配電線推定電圧とを推定し、
前記電力融通装置が、前記第１配電線推定電圧及び前記第２配電線推定電圧が所定の電圧条件を満たすか否かを判定し、
前記電力融通装置が、前記第１配電線推定電圧及び前記第２配電線推定電圧が前記電圧条件を満たす場合、前記電力変換を実行する、
ことを備える電力融通方法。
【発明の詳細な説明】
【技術分野】
【０００１】
本発明は、複数の配電線の電圧を平準化する技術に関する。
【背景技術】
【０００２】
放射状配電系統において、ループコントローラ（ＬＢＣ：Ｌｏｏｐ  Ｂａｌａｎｃｅ  Ｃｏｎｔｒｏｌｌｅｒ）を用いて、配電線間の負荷アンバランスを解決する技術が知られている（例えば、特許文献１）。この技術は、放射状配電系統の２つの分岐配電線の間、又は２つの配電用変電所の放射状配電線の間に設けられる常時開放状態の開閉器の設置箇所に、ループコントローラを設置することにより両配電線間の電圧の整合をとる。
【先行技術文献】
【特許文献】
【０００３】
【特許文献１】特開２００１−２５１７６５号公報
【発明の概要】
【発明が解決しようとする課題】
【０００４】
配電系統に、太陽光発電のような分散電源や、ＥＶ（Ｅｌｅｃｔｒｉｃ  Ｖｅｈｉｃｌｅ）等の高い負荷が接続される場合、前述のループコントローラにより配電線間の電圧の整合を取る方法により、必ずしも各配電線における配電電圧が適正になるとは限らない。例えば、ループコントローラの上流で太陽光発電が大量に導入され、ループコントローラが他配電線に電圧を供給し、ループコントローラの下流でＥＶが多く充電している場合に、電力が不足する可能性や、電圧が配電電圧上下限を逸脱する可能性がある。
【課題を解決するための手段】
【０００５】
上記課題を解決するために、本発明の一態様である電力融通システムは、第１配電線に接続された第１端子と、第２配電線に接続された第２端子とに接続されている電力融通装置と、前記第１配電線上で前記第１端子の下流側に設けられている第１配電設備で測定される電圧である第１配電線電圧を前記電力融通装置へ送信する第１通信装置と、前記第２配電線上で前記第２端子の下流側に設けられている第２配電設備で測定される電圧である第２配電線電圧を前記電力融通装置へ送信する第２通信装置と、を備える。前記電力融通装置は、指示に応じて前記第１端子及び前記第２端子の間で電力変換を実行する電力変換部と、前記第１通信装置から前記第１配電線電圧を受信し、前記第２通信装置から前記第２配電線電圧を受信する受信部と、前記第１配電線電圧及び前記第２配電線電圧に基づいて、前記電力変換により前記第１端子及び前記第２端子の間で融通する電圧である電圧融通量と、前記融通の方向である電圧融通方向とを決定し、前記電圧融通量と前記電圧融通方向と前記第１配電線電圧とに基づいて、前記電力変換後に前記第１配電設備で測定された電圧である第１配電線推定電圧を推定し、前記電圧融通量と前記電圧融通方向と前記第２配電線電圧とに基づいて、前記電力変換後に前記第２配電設備で測定された電圧である第２配電線推定電圧を推定し、前記第１配電線推定電圧及び前記第２配電線推定電圧が所定の電圧条件を満たすか否かを判定し、前記第１配電線推定電圧及び前記第２配電線推定電圧が前記電圧条件を満たす場合、前記電力変換部に前記電力変換を実行させる制御部と、を含む。
【発明の効果】
【０００６】
本発明の一態様によれば、二つの配電線の電圧が所定の電圧範囲を逸脱することを防ぎつつ、それらの配電線電圧の偏差を低減することができる。
【図面の簡単な説明】
【０００７】
【図１】図１は、放射状配電系統の構成を示す。
【図２】図２は、電力融通装置１０１の構成を示す。
【図３】図３は、通信端末１０２の構成を示す。
【図４】図４は、電力融通システムの構成を示す。
【図５】図５は、電力融通装置１０１の動作を示す。
【図６】図６は、対応関係決定処理を示す。
【図７】図７は、融通情報決定処理を示す。
【図８】図８は、融通情報判定処理を示す。
【発明を実施するための形態】
【０００８】
本発明の実施例について、図面を参照して説明する。
【０００９】
図１は、放射状配電系統の構成を示す。
【００１０】
放射状配電系統は、変電所５１１と、複数の配電線５０１と、連系開閉器５１２と、複数の区間開閉器（区分開閉器）５１３とを有する。複数の配電線５０１の基端は、変電所５１１に接続されている。複数の配電線５０１は、末端に向かって放射状に配置されている。連系開閉器５１２は、二つの配電線５０１の間に設けられた常時開の開閉器である。連系開閉器５１２は、通常時に開かれており、例えば、接続されている二つの配電線５０１の一方の停電時に閉じられ、それら二つの配電線５０１を連系させる。放射状配電系統は、複数の連系開閉器５１２を有していても良い。区間開閉器５１３は、配電線５０１に設けられた常時閉の開閉器である。区間開閉器５１３は、通常時に閉じられており、例えば、事故の発生時に開かれ、配電線５０１を二つの区間に分離する。配電線５０１には、負荷や分散電源等が接続されている。
【００１１】
本発明の実施例の電力融通システムは、放射状配電系統に設けられている。一つの電力融通システムは、一つの電力融通装置１０１と、二つの通信端末１０２とを有する。この図の放射状配電系統には、二つの電力融通システムが設けられている。
【００１２】
電力融通装置１０１は、連系開閉器５１２に接続されている。これにより、二つの配電線５０１の間を接続するために、既設の連系開閉器５１２や、配電線５０１及び連系開閉器５１２の間の送電線を用いることができる。なお、電力融通装置１０１は、或る配電線５０１から引き出された端子と、別の配電線５０１から引き出された端子との間に接続されても良い。電力融通装置１０１は、接続されている二つの配電線５０１の一方から他方へ電力を融通することができる。電力融通システムは、複数の電力融通装置１０１を有していても良い。電力融通装置１０１は、変電所５１１に接続されている複数の配電線５０１間に設けられる連系開閉器５１２の両端の電圧である端子電圧と、連系開閉器５１２の開閉（入切）状態とを監視する。更に電力融通装置１０１は、二つの通信端末１０２から配電線電圧情報を受信する。更に電力融通装置１０１は、電力融通による電圧融通量及び電圧融通方向を示す融通情報を決定する。
【００１３】
通信端末１０２は、電力融通装置１０１の両側の配電線５０１の配電系統下流側の夫々において、区間開閉器５１３やＳＶＲ（Ｓｔｅｐ  Ｖｏｌｔａｇｅ  Ｒｅｇｕｌａｔｏｒ）等の配電設備に設置されている。通信端末１０２は、配電設備で測定された配電線電圧を所定の周期で取得し、取得された配電線電圧を配電線電圧情報として電力融通装置１０１へ送信する。配電線電圧情報は、通信端末１０２の識別子を含む。通信端末１０２は、電圧センサを有しても良い。この場合、通信端末１０２は、電力融通装置１０１の両側の配電線５０１の配電系統下流側で、配電設備以外の場所に設置されても良い。電力融通装置１０１は、二つの通信端末１０２から配電線電圧情報を受信する。
【００１４】
通信端末１０２は、電力融通装置１０１へ配電線電圧情報を送信しても良いし、通信端末１０２が営業所や変電所５１１等のサーバへ配電線電圧情報を送信し、そのサーバが電力融通装置１０１へ配電線電圧情報を送信しても良い。通信端末１０２と電力融通装置１０１との間の通信や、通信端末１０２とサーバとの間の通信や、サーバと電力融通装置１０１との間の通信は、無線通信であっても良いし、有線通信であっても良いし、既存の通信網を用いても良い。
【００１５】
図２は、電力融通装置１０１の構成を示す。
【００１６】
電力融通装置１０１は、電源部２０１と、通信部２０２と、コントローラ２０３と、電力変換部２０４と、センサ２０５とを有する。電力融通装置１０１は、連系開閉器５１２に含まれてもよい。
【００１７】
電源部２０１は、電力融通装置１０１の各部へ電力を供給する。電源部２０１が、商用電源等から電力を供給される場合、交流から直流に変換する変換器や、電圧を変換する変圧器等を有しても良い。
【００１８】
通信部２０２は、コントローラ２０３で生成された信号を送信したり、受信した信号をコントローラ２０３に受け渡したりするものである。通信部２０２の通信相手は、通信端末１０２や、営業所や変電所５１１にあるサーバや、連系開閉器５１２等である。通信部２０２は、モデム、発信器、及びアンテナ等を有する。
【００１９】
コントローラ２０３は、通信部２０２やセンサ２０５から受け取った情報を基に融通情報を決定し、電力変換部２０４へ送る。コントローラ２０３は、中央処理装置（ＣＰＵ：Ｃｅｎｔｒａｌ  Ｐｒｏｃｅｓｓｉｎｇ  Ｕｎｉｔ）や、一時的な記憶を行うメモリ等を有する。メモリは、プログラム及びデータを格納し、中央処理装置は、メモリ内のプログラムに従って、コントローラ２０３の動作を実行する。このプログラムは、コンピュータ読み取り可能な記憶媒体に格納され、その記憶媒体からメモリへ書き込まれても良い。
【００２０】
電力変換部２０４は、コントローラ２０３からの融通情報に従って、電力変換を実行することにより、一方の端子から他方の端子へ電圧を融通する。電力変換部２０４は例えば、交流を直流に変換し、電圧を変換し、直流を交流に変換する電力変換（ＡＣ−ＤＣ−ＡＣ変換）を実行するコンバータ及びインバータを有する。これにより、電力変換部２０４は、二つの端子の内、高い方の電圧を有する端子から低い方の電圧を有する端子へ電圧を融通するだけでなく、低い方の電圧を有する端子から高い方の電圧を有する端子へ電圧を融通することができる。
【００２１】
センサ２０５は、連系開閉器５１２の両側の端子の電圧である二つの端子電圧を測定する。センサ２０５は、電圧センサ等である。なお、連系開閉器５１２が二つの端子電圧を測定している場合、電力融通装置１０１は、センサ２０５の代わりに、連系開閉器５１２から二つの端子電圧を取得する端子電圧取得部を有していても良い。
【００２２】
図３は、通信端末１０２の構成を示す。
【００２３】
通信端末１０２は、電源部３０１と、通信部３０２と、コントローラ３０３と、電圧取得部３０４とを有する。通信端末１０２は、配電設備に含まれても良い。
【００２４】
電源部３０１は、通信端末１０２の各部へ電力を供給する。電源部３０１が、商用電源等から電力を供給される場合、交流から直流に変換する変換器や、電圧を変換する変圧器等を有しても良い。
【００２５】
通信部３０２は、コントローラ２０３で生成された信号を発信したり、受信した信号をコントローラ２０３に受け渡したりする。通信部３０２は、モデム、発信器、及びアンテナ等を有する。通信部３０２の通信相手は、電力融通装置１０１や、営業所や変電所５１１にあるサーバや、接続されている配電設備等である。
【００２６】
コントローラ３０３は例えば、中央処理装置や、一時的な記憶を行うメモリ等を有する。コントローラ３０３は、電圧取得部３０４により取得された電圧を通信部３０２へ渡したり、通信部３０２から受け取った情報に基づき、電圧取得部３０４に対し配電線電圧を取得する指令を出したりする。
【００２７】
電圧取得部３０４は、区間開閉器５１３により測定された配電線電圧を取得する。電圧取得部３０４は、通信インターフェイス等である。通信端末１０２が区間開閉器５１３から配電線電圧を得られない場合、通信端末１０２は、電圧取得部３０４の代わりに配電線電圧を測定するセンサを有していても良い。
【００２８】
図４は、電力融通システムの構成を示す。
【００２９】
この図に示されるように、一つの電力融通システムは、一つの電力融通装置１０１と、二つの通信端末１０２Ａ、１０２Ｂとを有する。
【００３０】
本実施例において、二つの通信端末１０２Ａ、１０２Ｂは、区間開閉器５１３Ａ、５１３Ｂに夫々設置される。区間開閉器５１３Ａ、５１３Ｂは、一つの電力融通装置１０１の両側の配電線５０１の配電系統下流側に夫々設けられている。電圧測定点５０３Ａ、５０３Ｂは、区間開閉器５１３Ａ、５１３Ｂに夫々設けられている。二つの通信端末１０２Ａ、１０２Ｂは、電圧測定点５０３Ａ、５０３Ｂの電圧である配電線電圧を測定し、配電線電圧を示す配電線電圧情報を夫々電力融通装置１０１へ送信する。電力融通装置１０１のセンサ２０５は、連系開閉器５１２の両端の電圧測定点５０２Ａ、５０２Ｂの夫々の電圧である端子電圧を測定する。以後の説明及び図面において、電圧測定点５０３Ａ、５０３Ｂの配電線電圧を夫々、ＶＦＡ、ＶＦＢと呼ぶ。また、電圧測定点５０２Ａ、５０２Ｂの端子電圧を夫々、ＶＮＡ、ＶＮＢと呼ぶ。
【００３１】
なお、通信端末１０２Ａ、１０２Ｂのような符号において、数字の後に続くアルファベットにより要素を区別する必要がない場合、そのアルファベットは省略されることがある。
【００３２】
図５は、電力融通装置１０１の動作を示す。
【００３３】
電力融通装置１０１は、電力融通装置１０１と通信する通信端末１０２Ａ、１０２Ｂから受信された配電線電圧に基づいて、電力融通を実行する。コントローラ２０３は、配電線電圧の問い合わせを通信端末１０２Ａ、１０２Ｂへ送信することにより、通信端末１０２Ａ、１０２Ｂから配電線電圧情報を受信しても良いし、通信端末１０２Ａ、１０２Ｂが、所定の周期で配電線電圧情報を電力融通装置１０１へ送信しても良い。
【００３４】
ステップ４０１において、コントローラ２０３は、通信端末１０２Ａ、１０２Ｂと、配電線５０１Ａ、５０１Ｂとの対応関係を示す対応関係情報を格納しているか否かを判定する。コントローラ２０３は、その対応関係情報を格納していると判定された場合（ＹＥＳ）、処理をステップ４０３へ移し、そうでない場合（ＮＯ）、処理をステップ４０２へ移す。
【００３５】
ステップ４０２において、コントローラ２０３は、二つの配電線５０１Ａ、５０１Ｂと、二つの通信端末１０２Ａ、１０２Ｂとの対応関係情報を決定する対応関係決定処理を実行し、処理をステップ４０４へ移す。対応関係決定処理の詳細については後述する。
【００３６】
ステップ４０４において、コントローラ２０３は、電圧測定点５０３Ａ、５０３Ｂの配電線電圧と、電圧測定点５０２Ａ、５０２の端子電圧とを基に、融通情報を決定する融通情報決定処理を実行し、処理をステップ４０５へ移す。ステップ４０４の詳細については後述する。
【００３７】
ステップ４０５において、コントローラ２０３は、融通情報に基づく電力融通が可能であるか否かを判定する融通情報判定処理を実行し、処理をステップ４０６へ移す。ここでコントローラ２０３は、電圧測定点５０３Ａ、５０３Ｂの配電線電圧を用いて、融通情報に基づく電力融通が実行された場合の、電圧測定点５０３Ａ、５０３Ｂの夫々の配電線電圧と、電圧測定点５０２Ａ、５０２の夫々の端子電圧とを推定し、それらの推定された電圧が予め定められた電圧範囲内であれば、電力融通が可能であると判定する。電圧範囲は、電力会社等により定められ、電圧下限閾値と電圧上限閾値により定められる。
【００３８】
ステップ４０６において、コントローラ２０３は、融通情報判定処理の結果が融通可能であるか否かを判定する。コントローラ２０３は、電力融通が可能であると判定された場合（ＹＥＳ）、処理をステップ４０７へ移し、そうでない場合（ＮＯ）、この処理を終了させる。
【００３９】
ステップ４０７において、コントローラ２０３は、融通情報に基づいて電力融通を実行する。
【００４０】
以上が電力融通装置１０１の動作である。電力融通装置１０１は、定期的にこの動作を繰り返す。
【００４１】
電力融通装置１０１は、電力融通装置１０１の両側の電圧測定点５０２Ａ、５０２Ｂの電圧と、電圧測定点５０３Ａ、５０３Ｂの電圧を基に電力融通を実行する。電力融通装置１０１は、電圧融通方向を決定するために、二つの通信端末１０２の夫々が二つの配電線５０１Ａ、５０１Ｂを知る必要がある。例えば、電力融通装置１０１は、二つの通信端末１０２の一方から受信した配電線電圧が電圧測定点５０３Ａの電圧であるか、電圧測定点５０３Ｂの電圧であるかが分からない。そこで、事前に、対応関係情報を電力融通装置１０１に設定しても良い。但し、作業者のミス等により、設定された対応関係情報と逆の配電線５０１に通信端末１０２が設置されていると、電力融通装置１０１は、必要な方向とは逆の方向に電力を融通してしまい、配電線電圧が電圧範囲を逸脱する可能性がある。そのため、電力融通装置１０１が、事前設定なしで対応関係情報を決定することが望ましい。
【００４２】
この動作によれば、電力融通装置１０１の両端の端子電圧と、電力融通装置１０１の下流の区間開閉器５１３Ａ、５１３Ｂにおける配電線電圧が電圧範囲を逸脱することを防ぎつつ、電力融通装置１０１の下流の区間開閉器５１３Ａ、５１３Ｂにおける配電線電圧の偏差を低減することができる。
【００４３】
図６は、対応関係決定処理を示す。
【００４４】
対応関係決定処理において、コントローラ２０３は、通信端末１０２Ａ、１０２Ｂの夫々が配電線５０１Ａ、５０１Ｂの何れに設置されているかを示す対応関係情報を決定する。
【００４５】
ステップ６０１において、コントローラ２０３は、通信端末１０２Ａ、１０２Ｂから配電線電圧を受信し、処理をステップ６０２へ移す。ここで、コントローラ２０３が通信端末１０２Ａから受信した配電線電圧をＶＸと呼び、コントローラ２０３が通信端末１０２Ａから受信した配電線電圧をＶＹと呼ぶ。この際、コントローラ２０３は、対応関係情報を格納していないため、例えば、ＶＸが、ＶＦＡ、ＶＦＢの何れであるか判別できない。
【００４６】
ステップ６０２において、コントローラ２０３は、センサ２０５により測定された端子電圧ＶＮＡを取得し、処理をステップ６０３へ移す。
【００４７】
ステップ６０３において、コントローラ２０３は、受信された二つの配電線電圧ＶＸ、ＶＹを比較し、ＶＸ、ＶＹが一致しているか否かを判定する。例えば、コントローラ２０３は、ＶＸ、ＶＹの差を算出し、この差が所定の許容範囲内であれば、ＶＸ、ＶＹが一致していると判定する。コントローラ２０３は、ＶＸ、ＶＹが一致していると判定された場合（ＹＥＳ）、所定の時間だけ待機した後、処理をステップ６０１へ移し、そうでない場合（ＮＯ）、処理をステップ６０４へ移す。
【００４８】
ステップ６０４において、コントローラ２０３は、事前に設定された試験電圧を配電線５０１Ａ、５０１Ｂの間で融通する試験電力融通が可能であるかを判定する。試験電圧は、配電線電圧に比べて十分低く、且つ試験電力融通による配電線電圧の変化を検出できる大きさを有する。例えば、コントローラ２０３は、ＶＸに試験電圧を加えたＶＸＲと、ＶＹに試験電圧を加えたＶＹＲと、ＶＸから試験電圧を減じたＶＸＴと、ＶＹから試験電圧を減じたＶＹＴとを算出し、ＶＸＲ、ＶＹＲ、ＶＸＴ、ＶＹＴの全てが電圧範囲内である場合、試験電力融通が可能であると判定する。コントローラ２０３は、試験電力融通が可能であると判定された場合（ＹＥＳ）、処理をステップ６０５へ移し、そうでない場合（ＮＯ）、所定時間だけ待機した後、処理をステップ６０１へ移す。
【００４９】
ステップ６０５において、コントローラ２０３は、ＶＸ及びＶＹの内でＶＮＡに近い方がＶＸであるか否かを判定する。ここでコントローラ２０３は例えば、ＶＸ及びＶＮＡの差の絶対値が、ＶＹ及びＶＮＡの差の絶対値より小さい場合に、ＶＮＡに近い方がＶＸであると判定する。コントローラ２０３は、ＶＮＡに近い方がＶＸであると判定された場合（ＹＥＳ）、処理をステップ６０６へ移し、そうでない場合（ＮＯ）、処理をステップ６０７へ移す。
【００５０】
ステップ６０６において、コントローラ２０３は、通信端末１０２Ａが配電線５０１Ａに対応し通信端末１０２Ｂが配電線５０１Ｂに対応すると判定し、その判定結果を示す対応関係情報を保存し、処理をステップ６０８へ移す。この場合、コントローラ２０３は、ＶＦＡに、ＶＸの値を代入し、ＶＦＢに、ＶＹの値を代入する。
【００５１】
ステップ６０７において、コントローラ２０３は、通信端末１０２Ａが配電線５０１Ｂに対応し通信端末１０２Ｂが配電線５０１Ａに対応すると判定し、その判定結果を示す対応関係情報を保存し、処理をステップ６０８へ移す。この場合、コントローラ２０３は、ＶＦＡに、ＶＹの値を代入し、ＶＦＢに、ＶＸの値を代入する。
【００５２】
ステップ６０８において、コントローラ２０３は、ＶＦＡ、ＶＦＢの内、高い方の電圧をＶＨ、低い方の電圧をＶＬとして選択し、配電線５０１Ａ、５０１Ｂの内、ＶＨに対応する方を融通元（電圧を融通して降圧する側）配電線とし、ＶＬに対応する方を融通先（電圧を融通されて昇圧する側）配電線として選択し、融通元配電線から融通先配電線へ向かう方向へ試験電圧を融通する電力融通を実行し、処理をステップ６０９へ移す。
【００５３】
ステップ６０９において、コントローラ２０３は、通信端末１０２Ａ、１０２Ｂから配電線電圧を受信することにより、融通先配電線の配電線電圧ＶＬＥと、融通元配電線の配電線電圧ＶＨＥとを取得し、処理をステップ６１０へ移す。
【００５４】
ステップ６１０において、コントローラ２０３は、試験電力融通により融通先配電線の配電線電圧が上昇したか否かを判定する。コントローラ２０３は、ＶＬＥがＶＬより高い場合、融通先配電線の配電線電圧が上昇したと判定する。コントローラ２０３は、融通先配電線の配電線電圧が上昇したと判定された場合（ＹＥＳ）、この処理を終了し、そうでない場合（ＮＯ）、処理をステップ６１１へ移す。
【００５５】
ステップ６１１において、コントローラ２０３は、対応関係情報を修正し、処理を終了する。ここでコントローラ２０３は、ステップ６０６又はステップ６０７により保存された対応関係情報における配電線５０１Ａ、５０１Ｂを入れ替える。
【００５６】
この処理によれば、電力融通装置１０１は、通信端末１０２Ａ、１０２Ｂの夫々が、配電線５０１Ａ、５０１Ｂの何れに設置されているかを判定することができる。これにより、通信端末１０２Ａ、１０２Ｂの設置のミスや対応関係の設定のミスによる誤動作を防ぐことができる。また、試験電力融通を実行することにより、試験電力融通前の配電線電圧と、試験電力融通後の配電線電圧とに基づいて、或る通信端末１０２が配電線５０１Ａ、５０１Ｂの何れに設置されているかを判定することができる。また、試験電力融通において電圧を融通する方向と、或る通信端末１０２における試験電力融通前及び試験電力融通後の配電線電圧の大小関係とを用いることにより、その通信端末１０２が、試験電力融通により電圧を融通した側の配電線５０１に設けられているか、試験電力融通により電圧を融通された側の配電線５０１に設けられているかを判定することができる。
【００５７】
なお、対応関係決定処理において、コントローラ２０３は、ＶＮＡを取得しなくても良い。この場合、コントローラ２０３は、ステップ６０２を実行しない。更にコントローラ２０３は、ステップ６０５を実行せずにステップ６０６を実行し、処理をステップ６０８へ移す。
【００５８】
また、対応関係決定処理において、コントローラ２０３は、通信端末１０２Ａ、１０２Ｂの中の一つの通信装置から、試験電力融通前の配電線電圧と、試験電力融通後の配電線電圧とを受信し、対応関係情報を決定しても良い。ここで、コントローラ２０３は、予め定められた試験方向へ試験電圧を融通する試験電力融通を実行する。その通信装置から受信した配電線電圧が、試験電力融通により上昇した場合、コントローラ２０３は、その通信装置を試験方向の融通先配電線に対応付ける。一方、その通信装置から受信した配電線電圧が、試験電力融通により降下した場合、コントローラ２０３は、その通信装置を試験方向の融通元配電線に対応付ける。
【００５９】
図７は、融通情報決定処理を示す。
【００６０】
融通情報決定処理において、コントローラ２０３は、通信端末１０２Ａ、１０２Ｂから受信された配電線電圧に基づいて、融通情報を決定する。ここでは、通信端末１０２Ａが配電線５０１Ａに設置されており、通信端末１０２Ｂが配電線５０１Ｂに設置されているとする。
【００６１】
ステップ７０１において、コントローラ２０３は、通信端末１０２Ａ、１０２Ｂから配電線電圧ＶＦＡ、ＶＦＢを受信し、処理をステップ７０３へ移す。
【００６２】
ステップ７０３において、コントローラ２０３は、ＶＦＡ、ＶＦＢを比較し、ＶＦＡ、ＶＦＢが一致しているか否かを判定する。例えば、コントローラ２０３は、ＶＦＡ、ＶＦＢの差を算出し、この差が所定の許容範囲内であれば、ＶＦＡ、ＶＦＢが一致していると判定する。コントローラ２０３は、ＶＦＡ、ＶＦＢが一致していると判定された場合（ＹＥＳ）、所定の時間だけ待機した後、処理をステップ７０１へ移し、そうでない場合（ＮＯ）、処理をステップ７０４へ移す。
【００６３】
ステップ７０４において、コントローラ２０３は、ＶＦＡ、ＶＦＢを比較し、ＶＦＡがＶＦＢより高いか否かを判定する。コントローラ２０３は、ＶＦＡがＶＦＢより高い場合（ＹＥＳ）、処理をステップ７０５へ移し、そうでない場合（ＮＯ）、処理をステップ７０６へ移す。
【００６４】
ステップ７０５において、コントローラ２０３は、配電線５０１Ａから配電線５０１Ｂへの方向を電圧融通方向として決定し、処理をステップ７０７へ移す。
【００６５】
ステップ７０６において、コントローラ２０３は、配電線５０１Ｂから配電線５０１Ａへの方向を電圧融通方向として決定し、処理をステップ７０７へ移す。
【００６６】
ステップ７０７において、コントローラ２０３は、ＶＦＡ及びＶＦＢの差の絶対値に１／２を乗じた値を電圧融通量として算出し、この処理を終了する。なお、コントローラ２０３は、他の算出方法によって、配電線電圧ＶＦＡ、ＶＦＢの差を小さくするように電圧融通量を算出しても良い。
【００６７】
以上が融通情報決定処理である。この処理によれば、電力融通装置１０１は、配電線電圧ＶＦＡ、ＶＦＢの差を小さくするように融通情報を決定することができる。
【００６８】
図８は、融通情報判定処理を示す。
【００６９】
融通情報判定処理において、コントローラ２０３は、融通情報に基づく電力融通が可能であるか否かを判定する。ここでは、通信端末１０２Ａが配電線５０１Ａに設置されており、通信端末１０２Ｂが配電線５０１Ｂに設置されているとする。例えば、通信端末１０２Ａの配電線電圧ＶＦＡが通信端末１０２Ｂの配電線電圧ＶＦＢより高い場合、コントローラ２０３は、二つの配電線５０１Ａ、５０１Ｂの内、配電線５０１Ａを融通元配電線とし、配電線５０１Ｂを融通先配電線とする。連系開閉器５１２の両端の端子電圧ＶＮＡ、ＶＮＢの内、融通元配電線に接続されている端子電圧を融通元端子電圧と呼び、融通先配電線に接続されている端子電圧を融通先端子電圧と呼ぶ。また、配電線電圧ＶＦＡ、ＶＦＢの内、融通元配電線に対応する電圧を融通元配電線電圧と呼び、融通先配電線に対応する電圧を融通先配電線電圧と呼ぶ。
【００７０】
ステップ８００において、コントローラ２０３は、センサ２０５により測定された端子電圧ＶＮＡ、ＶＮＢを取得し、処理をステップ８０１へ移す。
【００７１】
ステップ８０１において、コントローラ２０３は、融通情報に基づく電力融通後の融通元端子電圧を推定し、電力融通後の融通元端子電圧が電圧下限閾値以上であるか否かを判定する。例えば、コントローラ２０３は、電力融通前の融通元端子電圧から電圧融通量を減ずることにより、電力融通後の融通元端子電圧を推定する。コントローラ２０３は、電力融通後の融通元端子電圧が電圧下限閾値以上であると判定された場合（ＹＥＳ）、処理をステップ８０２へ移し、そうでない場合（ＮＯ）、処理をステップ８０６へ移す。
【００７２】
ステップ８０２において、コントローラ２０３は、融通情報に基づく電力融通後の融通元配電線電圧を推定し、電力融通後の融通元配電線電圧が電圧下限閾値以上であるか否かを判定する。例えば、コントローラ２０３は、電力融通前の融通元配電線電圧から電圧融通量を減ずることにより、電力融通後の融通元配電線電圧を推定する。コントローラ２０３は、電力融通後の融通元配電線電圧が電圧下限閾値以上であると判定された場合（ＹＥＳ）、処理をステップ８０３へ移し、そうでない場合（ＮＯ）、処理をステップ８０６へ移す。
【００７３】
ステップ８０３において、コントローラ２０３は、融通情報に応じた電力融通後の融通先端子電圧を推定し、電力融通後の融通先端子電圧が電圧上限閾値以下であるか否かを判定する。例えば、コントローラ２０３は、電力融通前の融通先端子電圧に電圧融通量を加えることにより、電力融通後の融通先端子電圧を推定する。コントローラ２０３は、電力融通後の融通先端子電圧が電圧上限閾値以下であると判定された場合（ＹＥＳ）、処理をステップ８０４へ移し、そうでない場合（ＮＯ）、処理をステップ８０６へ移す。
【００７４】
ステップ８０４において、コントローラ２０３は、融通情報に応じた電力融通後の融通先配電線電圧を推定し、電力融通後の融通先配電線電圧が電圧上限閾値以下であるか否かを判定する。例えば、コントローラ２０３は、電力融通前の融通先配電線電圧に電圧融通量を加えることにより、電力融通後の融通先配電線電圧を推定する。コントローラ２０３は、電力融通後の融通先配電線電圧が電圧上限閾値以下であると判定された場合（ＹＥＳ）、処理をステップ８０５へ移し、そうでない場合（ＮＯ）、処理をステップ８０６へ移す。
【００７５】
ステップ８０５において、コントローラ２０３は、電力融通可能と判定し、この処理を終了する。
【００７６】
ステップ８０６において、コントローラ２０３は、電力融通不可能と判定し、この処理を終了する。
【００７７】
以上が融通情報判定処理である。この処理によれば、電力融通装置１０１は、電力融通前の配電線電圧と、融通情報とに基づいて、電力融通後の配電線電圧を推定することができる。また、融通情報に示された電力融通により、連系開閉器５１２の両端の端子電圧と、二つの区間開閉器５１３の配電線電圧とが、電圧範囲から逸脱することを防ぐことができる。
【００７８】
電力融通装置１０１と通信端末１０２とが直接通信する場合、分散制御により電力融通を実行することになり、営業所や変電所５１１にあるサーバ等の改修が不要であると共に、通信インフラの整備が最小限で済む。
【００７９】
また、通信端末１０２が配電線電圧情報を営業所や変電所５１１にあるサーバ等へ送信し、サーバが配電線電圧情報を電力融通装置１０１へ送信する場合、通信端末１０２の代わりに、既設の遠隔監視可能な配電設備を用いることができる。また、配電系統が変更された際に、配電線電圧情報を電力融通装置１０１へ送信する配電設備を柔軟に変更できる。
【００８０】
なお、電力融通システムは、三つ以上の通信端末１０２を有していても良い。この場合、電力融通装置１０１は、通信する全ての通信端末１０２における配電線電圧が電圧範囲内になるように電力融通を行う。
【００８１】
以上の実施例で説明された技術は、次のように表現することができる。
（表現１）
第１配電線に接続された第１端子と、第２配電線に接続された第２端子とに接続されている電力融通装置と、
前記第１配電線上で前記第１端子の下流側に設けられている第１配電設備で測定される電圧である第１配電線電圧を前記電力融通装置へ送信する第１通信装置と、
前記第２配電線上で前記第２端子の下流側に設けられている第２配電設備で測定される電圧である第２配電線電圧を前記電力融通装置へ送信する第２通信装置と、
を備え、
前記電力融通装置は、
指示に応じて前記第１端子及び前記第２端子の間で電力変換を実行する電力変換部と、
前記第１通信装置から前記第１配電線電圧を受信し、前記第２通信装置から前記第２配電線電圧を受信する受信部と、
前記第１配電線電圧及び前記第２配電線電圧に基づいて、前記電力変換により前記第１端子及び前記第２端子の間で融通する電圧である電圧融通量と、前記融通の方向である電圧融通方向とを決定し、前記電圧融通量と前記電圧融通方向と前記第１配電線電圧とに基づいて、前記電力変換後に前記第１配電設備で測定された電圧である第１配電線推定電圧を推定し、前記電圧融通量と前記電圧融通方向と前記第２配電線電圧とに基づいて、前記電力変換後に前記第２配電設備で測定された電圧である第２配電線推定電圧を推定し、前記第１配電線推定電圧及び前記第２配電線推定電圧が所定の電圧条件を満たすか否かを判定し、前記第１配電線推定電圧及び前記第２配電線推定電圧が前記電圧条件を満たす場合、前記電力変換部に前記電力変換を実行させる制御部と、
を含む、
電力融通システム。
（表現２）
前記制御部は、前記第１端子の電圧である第１端子電圧と、前記第２端子の電圧である第２端子電圧とを取得し、前記電圧融通量と前記電圧融通方向と前記第１端子電圧とに基づいて、前記電力変換後の前記第１端子の電圧である第１端子推定電圧を推定し、前記電圧融通量と前記電圧融通方向と前記第２端子電圧とに基づいて、前記電力変換後の前記第２端子の電圧である第２端子推定電圧を推定し、前記第１端子推定電圧と前記第２端子推定電圧と前記第１配電線推定電圧と前記第２配電線推定電圧とが所定の電圧範囲内であるか否かを判定し、前記第１端子推定電圧と前記第２端子推定電圧と前記第１配電線推定電圧と前記第２配電線推定電圧とが前記電圧範囲内である場合、前記電力変換部に前記電力変換を実行させる、
表現１に記載の電力融通システム。
（表現３）
前記電力変換は、ＡＣ−ＤＣ−ＡＣ変換である、
表現２に記載の電力融通システム。
（表現４）
前記電圧融通方向が前記第１配電線から前記第２配電線へ向かう場合、前記制御部は、前記第１配電線電圧から前記電圧融通量を減じた値を前記第１配電線推定電圧として推定し、前記第２配電線電圧に前記電圧融通量を加えた値を前記第２配電線推定電圧として推定し、
前記電圧融通方向が前記第２配電線から前記第１配電線へ向かう場合、前記制御部は、前記第２配電線電圧から前記電圧融通量を減じた値を前記第２配電線推定電圧として推定し、前記第１配電線電圧に前記電圧融通量を加えた値を前記第１配電線推定電圧として推定する、
表現３に記載の電力融通システム。
（表現５）
前記制御部は、前記第１配電線電圧及び前記第２配電線電圧の差に基づいて、前記電圧融通量及び前記電圧融通方向を決定する、
表現４に記載の電力融通システム。
（表現６）
前記制御部は、前記第１配電線電圧及び前記第２配電線電圧の差の絶対値の１／２を、前記電圧融通量として算出し、前記第１配電線電圧及び前記第２配電線電圧を比較し、高い電圧に対応する配電線を融通元配電線として選択し、低い配電圧に対応する配電線を融通先配電線として選択し、前記融通元配電線から前記融通先配電線への方向を前記電圧融通方向として決定する、
表現５に記載の電力融通システム。
（表現７）
前記第１端子及び前記第２端子の間に連系開閉器が接続されており、
前記電力変換時、前記連系開閉器は開状態である、
表現６に記載の電力融通システム。
（表現８）
前記制御部は、前記第１端子及び前記第２端子の間で、予め定められた試験電圧を予め定められた試験方向へ融通する試験電力変換を、前記電力変換部に実行させ、
前記受信部は、前記第１通信装置及び前記第２通信装置の何れか一つの通信装置から、前記試験電力変換の前に前記通信装置に対応する配電設備で測定された試験前電圧と、前記試験電力変換の後に前記配電設備で測定された試験後電圧とを受信し、
前記制御部は、前記試験前電圧及び前記試験後電圧に基づいて、前記第１通信装置及び前記第１配電線の対応付けと、前記第２通信装置及び前記第２配電線の対応付けとを示す対応関係情報を決定し、前記対応関係情報に基づいて、前記第１通信装置から受信された電圧を前記第１配電線電圧として認識すると共に、前記第２通信装置から受信された電圧を前記第２配電線電圧として認識する、
表現２に記載の電力融通システム。
（表現９）
前記制御部は、前記試験方向と、前記試験前電圧及び前記試験後電圧の大小関係とに基づいて、前記対応関係情報を決定する、
表現８に記載の電力融通システム。
（表現１０）
第１配電線に接続された第１端子と、第２配電線に接続された第２端子とに接続され、指示に応じて前記第１端子及び前記第２端子の間で電力変換を実行する電力変換部と、
前記第１配電線上で前記第１端子の下流側に設けられている第１配電設備で測定される電圧である第１配電線電圧と、前記第２配電線上で前記第２端子の下流側に設けられている第２配電設備で測定される電圧である第２配電線電圧とを受信する受信部と、
前記第１配電線電圧及び前記第２配電線電圧に基づいて、前記電力変換により前記第１端子及び前記第２端子の間で融通する電圧である電圧融通量と、前記融通の方向である電圧融通方向とを決定し、前記電力変換後に前記第１配電設備で測定された電圧である第１配電線推定電圧と、前記電力変換後に前記第２配電設備で測定された電圧である第２配電線推定電圧とを推定し、前記第１配電線推定電圧及び前記第２配電線推定電圧が所定の電圧条件を満たすか否かを判定し、前記第１配電線推定電圧及び前記第２配電線推定電圧が前記電圧条件を満たす場合、前記電力変換部に前記電力変換を実行させる制御部と、
を備える電力融通装置。
（表現１１）
第１配電線に接続された第１端子と、第２配電線に接続された第２端子とに接続されている電力融通装置が、前記第１配電線上で前記第１端子の下流側に設けられている第１配電設備で測定される電圧である第１配電線電圧と、前記第２配電線上で前記第２端子の下流側に設けられている第２配電設備で測定される電圧である第２配電線電圧とを受信し、
前記電力融通装置が、前記第１端子及び前記第２端子の間の電力変換について、前記第１配電線電圧及び前記第２配電線電圧に基づいて、前記電力変換により前記第１端子及び前記第２端子の間で融通する電圧である電圧融通量と、前記融通の方向である電圧融通方向とを決定し、
前記電力融通装置が、前記電力変換後に前記第１配電設備で測定された電圧である第１配電線推定電圧と、前記電力変換後に前記第２配電設備で測定された電圧である第２配電線推定電圧とを推定し、
前記電力融通装置が、前記第１配電線推定電圧及び前記第２配電線推定電圧が所定の電圧条件を満たすか否かを判定し、
前記電力融通装置が、前記第１配電線推定電圧及び前記第２配電線推定電圧が前記電圧条件を満たす場合、前記電力変換を実行する、
ことを備える電力融通方法。
【００８２】
以上の表現における用語について説明する。第１通信装置は、通信端末１０２Ａ等に対応する。第２通信装置は、通信端末１０２Ｂ等に対応する。受信部は、通信部２０２等に対応する。制御部は、コントローラ２０３等に対応する。第１配電線は、配電線５０１Ａ等に対応する。第２配電線は、配電線５０１Ｂ等に対応する。第１端子は、電圧測定点５０２Ａ等に対応する。第２端子は、電圧測定点５０２Ｂ等に対応する。第１配電設備は、区間開閉器５１３Ａ等に対応する。第２配電設備は、区間開閉器５１３Ｂ等に対応する。
【符号の説明】
【００８３】
１０１：電力融通装置、  １０２：通信端末、  ２０１：電源部、  ２０２：通信部、  ２０３：コントローラ、  ２０４：電力変換部、  ２０５：センサ、  ５０１：配電線、  ５１１：変電所、  ５１２：連系開閉器、  ５１３：区間開閉器
【図１】
2014212611.tif 000003
【図２】
2014212611.tif 000004
【図３】
2014212611.tif 000005
【図４】
2014212611.tif 000006
【図５】
2014212611.tif 000007
【図６】
2014212611.tif 000008
【図７】
2014212611.tif 000009
【図８】
2014212611.tif 000010